(57)【要約】【課題】    本発明の目的は、容易に製作することができる乾燥した植物の密封収納方法を提供するものである。【解決手段】    乾燥した植物の密封収納方法は、平面視、四角形状であって、ガスバリア性のフィルムで形成された透明な袋１と、この袋１の開口部１ａと反対側の第１の端部１Ｘに取り付けられた逆止弁３とを備え、袋１の開口部１ａを介して積層体２を袋１内に収納し、収納後、開口部１ａを閉じるように第１のヒートシール部１Ｓを形成して袋１を密封し、密封後、逆止弁３を介して袋１内を脱気して袋１のフィルムを積層体２に密着させるものである。【選択図】図７
2017007699.tif 000002
【特許請求の範囲】
【請求項１】
平面視、四角形状であって、ガスバリア性のフィルムで形成された透明な袋と、
この袋の開口部と反対側の第１の端部に取り付けられた逆止弁とを備え、
前記袋の開口部を介して積層体を前記袋内に収納し、
収納後、前記開口部を閉じるように第１のヒートシール部を形成して前記袋を密封し、
密封後、前記逆止弁を介して前記袋内を脱気して前記袋のフィルムを前記積層体に密着させるものであり、
前記積層体は、四角形状の透明な第１の板状部材と四角形状の第２の板状部材と間に位置した乾燥した植物を積層したものであり、
前記脱気は、前記袋の表側フィルムが前記第１の板状部材に、前記袋の裏側フィルムが前記第２の板状部材に、それぞれ密着する程度である
ことを特徴とする乾燥した植物の密封収納方法。
【請求項２】
平面視、四角形状であって、ガスバリア性のフィルムで形成された透明な袋と、
この袋の開口部と反対側の第１の端部に取り付けられた逆止弁とを備え、
前記袋の開口部を介して積層体を前記袋内に収納し、
収納後、前記開口部を閉じるように第１のヒートシール部を形成して前記袋を密封し、
密封後、前記逆止弁を介して前記袋内を脱気して前記袋のフィルムを前記積層体に密着させるものであり、
前記積層体は、四角形状の透明な第１の板状部材、乾燥した植物、クッション材、四角形状の第２の板状部材を有し、前記第１の板状部材に前記袋の表側フィルムが対向し、
前記第２の板状部材に前記袋の裏側フィルムが対向し、前記第１の板状部材と前記クッション材の間に前記乾燥した植物が、前記第２の板状部材と前記乾燥した植物の間に前記クッション材が、それぞれ位置し、
前記脱気は、前記袋の表側フィルムが前記第１の板状部材に、前記袋の裏側フィルムが前記第２の板状部材に、それぞれ密着する程度である
ことを特徴とする乾燥した植物の密封収納方法。                
【請求項３】
第１の板状部材の第１のヒートシール部に平行であって前記第１のヒートシール部から遠い側の一辺は、第１の辺であり、
この第１の辺に近い側の逆止弁の端部は、逆止弁袋内側端部であり、
袋内を脱気した後、
前記第１の辺と前記逆止弁袋内側端部の間であって、前記第１のヒートシール部に平行な第２のヒートシール部を形成し、
形成後、前記第２のヒートシール部と前記逆止弁袋内側端部との間を前記第２のヒートシール部に沿って切断して、
前記袋から前記逆止弁を除去する
ことを特徴とする請求項１又は請求項２記載の乾燥した植物の密封収納方法。
【請求項４】
第１の板状部材と第２の板状部材がアクリルで形成されている場合の積層体の袋内への収納は、以下の順であり、
第２の紙の上に置かれた第２の板状部材の上に乾燥した植物を置き、その後、第１の板状部材の上に第１の紙を置いた状態で、前記第１の板状部材を前記乾燥した植物に当接して、前記第１の板状部材と前記第２の板状部材とで前記乾燥した植物を挟持し、
前記第１の板状部材と前記第２の板状部材と間に前記乾燥した植物を積層して前記積層体を形成し、
前記積層体と共に、前記第１の紙及び前記第２の紙も前記袋内に収納し、収納後、前記袋内から前記第１の紙及び前記第２の紙を除去するか、
又は、前記積層体と共に、前記第１の紙及び前記第２の紙を前記袋内に収納する途中に前記第１の紙及び前記第２の紙を除去し、除去後、前記積層体を前記袋内に収納するか、
又は、前記第１の紙及び前記第２の紙を除去した後、前記積層体を前記袋内に収納するかの何れかである
ことを特徴とする請求項１記載の乾燥した植物の密封収納方法。
【請求項５】
第１の板状部材がアクリルで形成され、第２の板状部材が紙で形成されている場合の積層体の袋内への収納は、以下の順であり、
第２の板状部材の上に置かれたクッション材の上に乾燥した植物を置き、その後、第１の板状部材の上に紙を置いた状態で、前記第１の板状部材を前記乾燥した植物に当接して、前記第１の板状部材と前記第２の板状部材とで前記クッション材を介して前記乾燥した植物を挟持して前記積層体を形成し、
前記積層体と共に、前記紙も前記袋内に収納し、収納後、前記袋内から前記紙を除去するか、
又は、前記積層体と共に、前記紙を前記袋内に収納する途中に前記紙を除去し、除去後、前記積層体を前記袋内に収納するか、
又は、前記紙を除去した後、前記積層体を前記袋内に収納するかの何れかである
ことを特徴とする請求項１記載の乾燥した植物の密封収納方法。
【請求項６】
積層体を袋内に収納する際、前記積層体の先端部が前記袋内の逆止弁に当接しないように、逆止弁押さえ部材で前記逆止弁を押さえた状態で、前記逆止弁押さえ部材の上から前記積層体を前記袋内に収納し、
収納後、前記袋内から前記逆止弁押さえ部材を除去する
ことを特徴とする請求項１又は請求項２記載の乾燥した植物の密封収納方法。
【請求項７】
第２の板状部材が透明である
ことを特徴とする請求項１記載の乾燥した植物の密封収納方法。
【請求項８】
平面視、四角形状であって、ガスバリア性のフィルムで形成された透明な袋と、
この袋内に収納された積層体とを備え、
前記積層体は、少なくとも、透明な第１の板状部材、乾燥した植物、第２の板状部材の順で積層され、
前記袋の開口部はシールされて前記袋は密封状態であって、前記袋内は脱気され、
前記脱気は、前記袋の表側フィルムが前記第１の板状部材に、前記袋の裏側フィルムが前記第２の板状部材に、それぞれ密着する程度である
ことを特徴とする乾燥した植物の密封収納体。
【請求項９】
第２の板状部材が透明である
ことを特徴とする請求項８記載の乾燥した植物の密封収納体。
【請求項１０】
乾燥した植物と第２の板状部材との間にクッション材が介在している
ことを特徴とする請求項８記載の乾燥した植物の密封収納体。
【発明の詳細な説明】
【技術分野】
【０００１】
本発明は、乾燥した植物の密封収納方法及び乾燥した植物の密封収納体に係り、特に、容易に閉じ込めて乾燥した植物の変色防止を図って、乾燥した植物を良好に保持することができる乾燥した植物の密封収納方法及び乾燥した植物の密封収納体に関する。
【背景技術】
【０００２】
従来、押し花額の製造方法として、第１層を紫外線カツト剤（ＡＳＬ）を両面にコーテイングした板ガラス第２層をアレンジした押し花絵第３層を押し花の背景用和紙第４層をブレ防止用マツト第５層を乾燥用シリカゲルシート第６層を真空パツク用アルミ箔シート第７層は真空パック封止の、ふちマツトの７層で構成し、真空用ふちマットの１かど部から各層内の空気を脱気し真空状とした後、封止口を粘着物で閉鎖するものがある（例えば、特許文献１記載のもの）。
【先行技術文献】
【特許文献】
【０００３】
【特許文献１】特開平１０−１１９５００号公報
【発明の概要】
【発明が解決しようとする課題】
【０００４】
しかしながら、上記押し花額の製造方法にあっては、真空用ふちマットの１かど部から各層内の空気を脱気し真空状とした後、封止口を粘着物で閉鎖すると記載されているが、真空用ふちマットとは、具体的にどのようなものかの開示がなく、押し花をどのようにして脱気し、脱気した状態をどのようにして保持するかの簡易的手段を見出したいという要望があった。
【０００５】
本発明は、上記要望を考慮してなされた乾燥した植物の密封収納方法及び乾燥した植物の密封収納体を提供することを目的とする。
【課題を解決するための手段】
【０００６】
請求項１記載の乾燥した植物の密封収納方法は、平面視、四角形状であって、ガスバリア性のフィルムで形成された透明な袋と、この袋の開口部と反対側の第１の端部に取り付けられた逆止弁とを備え、前記袋の開口部を介して積層体を前記袋内に収納し、収納後、前記開口部を閉じるように第１のヒートシール部を形成して前記袋を密封し、密封後、前記逆止弁を介して前記袋内を脱気して前記袋のフィルムを前記積層体に密着させるものであり、前記積層体は、四角形状の透明な第１の板状部材と四角形状の第２の板状部材と間に位置した乾燥した植物を積層したものであり、前記脱気は、前記袋の表側フィルムが前記第１の板状部材に、前記袋の裏側フィルムが前記第２の板状部材に、それぞれ密着する程度である。
【０００７】
また、請求項２記載の乾燥した植物の密封収納方法は、平面視、四角形状であって、ガスバリア性のフィルムで形成された透明な袋と、この袋の開口部と反対側の第１の端部に取り付けられた逆止弁とを備え、前記袋の開口部を介して積層体を前記袋内に収納し、収納後、前記開口部を閉じるように第１のヒートシール部を形成して前記袋を密封し、密封後、前記逆止弁を介して前記袋内を脱気して前記袋のフィルムを前記積層体に密着させるものであり、前記積層体は、四角形状の透明な第１の板状部材、乾燥した植物、クッション材、四角形状の第２の板状部材を有し、前記第１の板状部材に前記袋の表側フィルムが対向し、前記第２の板状部材に前記袋の裏側フィルムが対向し、前記第１の板状部材と前記クッション材の間に前記乾燥した植物が、前記第２の板状部材と前記乾燥した植物の間に前記クッション材が、それぞれ位置し、前記脱気は、前記袋の表側フィルムが前記第１の板状部材に、前記袋の裏側フィルムが前記第２の板状部材に、それぞれ密着する程度である。
【０００８】
また、請求項３記載の乾燥した植物の密封収納方法は、請求項１又は請求項２記載の乾燥した植物の密封収納方法において、第１の板状部材の第１のヒートシール部に平行であって前記第１のヒートシール部から遠い側の一辺は、第１の辺であり、この第１の辺に近い側の逆止弁の端部は、逆止弁袋内側端部であり、袋内を脱気した後、前記第１の辺と前記逆止弁袋内側端部の間であって、前記第１のヒートシール部に平行な第２のヒートシール部を形成し、形成後、前記第２のヒートシール部と前記逆止弁袋内側端部との間を前記第２のヒートシール部に沿って切断して、前記袋から前記逆止弁を除去するものである。
【０００９】
また、請求項４記載の乾燥した植物の密封収納方法は、請求項１記載の乾燥した植物の密封収納方法において、第１の板状部材と第２の板状部材がアクリルで形成されている場合の積層体の袋内への収納は、以下の順であり、第２の紙の上に置かれた第２の板状部材の上に乾燥した植物を置き、その後、第１の板状部材の上に第１の紙を置いた状態で、前記第１の板状部材を前記乾燥した植物に当接して、前記第１の板状部材と前記第２の板状部材とで前記乾燥した植物を挟持し、前記第１の板状部材と前記第２の板状部材と間に前記乾燥した植物を積層して前記積層体を形成し、前記積層体と共に、前記第１の紙及び前記第２の紙も前記袋内に収納し、収納後、前記袋内から前記第１の紙及び前記第２の紙を除去するか、又は、前記積層体と共に、前記第１の紙及び前記第２の紙を前記袋内に収納する途中に前記第１の紙及び前記第２の紙を除去し、除去後、前記積層体を前記袋内に収納するか、又は、前記第１の紙及び前記第２の紙を除去した後、前記積層体を前記袋内に収納するかの何れかである。
【００１０】
また、請求項５記載の乾燥した植物の密封収納方法は、請求項１記載の乾燥した植物の密封収納方法において、第１の板状部材がアクリルで形成され、第２の板状部材が紙で形成されている場合の積層体の袋内への収納は、以下の順であり、第２の板状部材の上に置かれたクッション材の上に乾燥した植物を置き、その後、第１の板状部材の上に紙を置いた状態で、前記第１の板状部材を前記乾燥した植物に当接して、前記第１の板状部材と前記第２の板状部材とで前記クッション材を介して前記乾燥した植物を挟持して前記積層体を形成し、前記積層体と共に、前記紙も前記袋内に収納し、収納後、前記袋内から前記紙を除去するか、又は、前記積層体と共に、前記紙を前記袋内に収納する途中に前記紙を除去し、除去後、前記積層体を前記袋内に収納するか、又は、前記紙を除去した後、前記積層体を前記袋内に収納するかの何れかである。
【００１１】
また、請求項６記載の乾燥した植物の密封収納方法は、請求項１又は請求項２記載の乾燥した植物の密封収納方法において、積層体を袋内に収納する際、前記積層体の先端部が前記袋内の逆止弁に当接しないように、逆止弁押さえ部材で前記逆止弁を押さえた状態で、前記逆止弁押さえ部材の上から前記積層体を前記袋内に収納し、収納後、前記袋内から前記逆止弁押さえ部材を除去するものである。
【００１２】
また、請求項７記載の乾燥した植物の密封収納方法は、請求項１記載の乾燥した植物の密封収納方法において、第２の板状部材が透明である。
【００１３】
また、請求項８記載の乾燥した植物の密封収納体は、平面視、四角形状であって、ガスバリア性のフィルムで形成された透明な袋と、この袋内に収納された積層体とを備え、前記積層体は、少なくとも、透明な第１の板状部材、乾燥した植物、第２の板状部材の順で積層され、前記袋の開口部はシールされて前記袋は密封状態であって、前記袋内は脱気され、前記脱気は、前記袋の表側フィルムが前記第１の板状部材に、前記袋の裏側フィルムが前記第２の板状部材に、それぞれ密着する程度である。
【００１４】
また、請求項９記載の乾燥した植物の密封収納体は、請求項８記載の乾燥した植物の密封収納体において、第２の板状部材が透明である。
【００１５】
また、請求項１０記載の乾燥した植物の密封収納体は、請求項８記載の乾燥した植物の密封収納体において、乾燥した植物と第２の板状部材との間にクッション材が介在しているものである。
【発明の効果】
【００１６】
請求項１記載の乾燥した植物の密封収納方法によれば、脱気したガスバリア性のフィルム袋内に第１の板状部材と第２の板状部材とで挟持された乾燥した植物を容易に閉じ込めて、乾燥した植物の変色防止を図って、乾燥した植物を良好に保持することができ、しかも、袋内に乾燥剤、脱酸素剤を要しない分、表裏起伏のない平坦であって、厚みが薄い乾燥した植物の密封収納体を得ることができ、更に、第１の板状部材及び/又は第２の板状部材が破損しても、破損した部位は、袋の外へ飛散しないで袋内に閉じ込められるため、安全で、清掃も容易となる。
【００１７】
また、請求項２記載の乾燥した植物の密封収納方法によれば、脱気したガスバリア性のフィルム袋内に透明な第１の板状部材に袋の表側フィルムが対向し、第２の板状部材に袋の裏側フィルムが対向し、第１の板状部材とクッション材の間に乾燥した植物が、第２の板状部材と乾燥した植物の間にクッション材が、それぞれ位置した積層体を容易に閉じ込めて乾燥した植物の変色防止を図って、乾燥した植物を良好に保持することができ、しかも、袋内に乾燥剤、脱酸素剤を要しない分、表裏起伏のない平坦であって、厚みが薄い乾燥した植物の密封収納体を得ることができ、更に、第１の板状部材及び/又は第２の板状部材が破損しても、破損した部位は、袋の外へ飛散しないで袋内に閉じ込められるため、安全で、清掃も容易となる。
特に、袋内は脱気されるため、乾燥した植物はクッション材により容易に沈み込み、沈み込んだ分、積層体周縁の空気が袋の外へと放出され、空気を排除した分、乾燥した植物の劣化を防ぎ、
また、被乾燥物が沈み込んだ分、乾燥した植物にかかる力が軽減されて、乾燥した植物の損傷を防ぐと共に、第１の板状部材と第２の板状部材との間に乾燥した植物を介在しても、第１の板状部材が第２の板状部材に近づき、より平坦であって、厚みがより薄い乾燥した植物の密封収納体を得ることができる。
【００１８】
また、請求項３記載の乾燥した植物の密封収納方法によれば、上述した請求項１又は請求項２記載の発明の効果に加え、袋から逆止弁を除去するため、目障りな逆止弁を除去することができる。
【００１９】
また、請求項４記載の乾燥した植物の密封収納方法によれば、上述した請求項１記載の発明の効果に加え、アクリルで形成された第１の板状部材と第２の板状部材の静電気を第１、第２の紙により除去することができ、第１の板状部材と第２の板状部材とで乾燥した植物を挟持する作業中、静電気による乾燥した植物の動きを防いで、乾燥した植物を所定の位置に保持させることができる。
【００２０】
また、請求項５記載の乾燥した植物の密封収納方法によれば、上述した請求項１記載の発明の効果に加え、アクリルで形成された第１の板状部材の静電気を紙により除去することができ、第１の板状部材と第２の板状部材とでクッション材を介して乾燥した植物を挟持する作業中、静電気による乾燥した植物の動きを防いで、乾燥した植物を所定の位置に保持させることができる。
【００２１】
また、請求項６記載の乾燥した植物の密封収納方法によれば、上述した請求項１又は請求項２記載の発明の効果に加え、積層体の先端部が袋内の逆止弁に当接し、逆止弁が変形した状態で密封包装されることを防ぐことができる。
【００２２】
また、請求項７記載の乾燥した植物の密封収納方法によれば、上述した請求項１記載の発明の効果に加え、袋、第１の板状部材及び第２の板状部材が全て透明であるため、乾燥した植物を表のみならず、裏からも観察することができる。
【００２３】
また、請求項８記載の乾燥した植物の密封収納体によれば、袋内を脱気しているため、乾燥剤、脱酸素剤を要しないで、乾燥した植物の変色防止を図ることができ、しかも、袋内に乾燥剤、脱酸素剤を要しない分、表裏起伏のない平坦であって、厚みが薄い乾燥した植物の密封収納体を得ることができ、更に、第１の板状部材及び/又は第２の板状部材が破損しても、破損した部位は、袋の外へ飛散しないで袋内に閉じ込められるため、安全で、清掃も容易となる。
【００２４】
また、請求項９記載の乾燥した植物の密封収納体によれば、上述した請求項８記載の発明の効果に加え、袋、第１の板状部材及び第２の板状部材が全て透明であるため、乾燥した植物を表のみならず、裏からも観察することができる。
【００２５】
また、請求項１０記載の乾燥した植物の密封収納体によれば、上述した請求項８記載の発明の効果に加え、袋内は脱気されるため、乾燥した植物はクッション材により容易に沈み込み、沈み込んだ分、積層体周縁の空気が袋の外へと放出され、空気を排除した分、乾燥した植物の劣化を防ぎ、
また、乾燥した植物が沈み込んだ分、乾燥した植物にかかる第１の板状部材からの力が軽減されて、乾燥した植物の損傷を防ぐと共に、第１の板状部材と第２の板状部材との間に乾燥した植物を介在しても、第１の板状部材が第２の板状部材に近づき、より平坦であって、厚みがより薄い乾燥した植物の密封収納体を得ることができる。
【図面の簡単な説明】
【００２６】
【図１】図１は、本発明の一実施例の乾燥した植物の密封収納体の概略的正面図である。
【図２】図２は、図１の乾燥した植物の密封収納体に組み込む前の概略的構成図である。
【図３】図３は、図１の乾燥した植物の密封収納体の概略的拡大断面図である。
【図４】図４は、図１の乾燥した植物の密封収納体と異なる他の実施例の乾燥した植物の密封収納体の概略的正面図である。
【図５】図５は、図４の乾燥した植物の密封収納体に組み込む前の概略的構成図である。
【図６】図６（ａ）は、図４の乾燥した植物の密封収納体の概略的一部拡大断面図であり、図６（ｂ）は、図６（ａ）の脱気前の概略的一部拡大断面図である。
【図７】図７（ａ）〜（ｆ）は、乾燥した植物の密封収納体を形成する過程を示した概略的形成過程図である。
【図８】図８（ａ）〜（ｆ）は、図７記載と異なる他の実施例の乾燥した植物の密封収納体を形成する過程を示した概略的形成過程図である。
【図９】図９（ａ）〜（ｈ）は、図８記載と異なる他の実施例の乾燥した植物の密封収納体を形成する過程を示した概略的形成過程図である。
【図１０】図１０（ａ）〜（ｈ）は、図９記載と異なる他の実施例の乾燥した植物の密封収納体を形成する過程を示した概略的形成過程図である。
【発明を実施するための形態】
【００２７】
本発明の一実施例の乾燥した植物の密封収納方法及び乾燥した植物の密封収納体を図面を参照して説明する。
図１に示すＫは乾燥した植物の密封収納体で、乾燥した植物の密封収納体Ｋは、平面視、四角形状であって、ガスバリア性のフィルムで形成された透明な袋１と、この袋１内に収納された積層体２とを備えている（図１乃至図３）。
なお、上述のガスバリア性のフィルムは、水蒸気や酸素等の各種ガスの遮断を必要とする物品の包装に広く用いられているものである。
【００２８】
積層体２は、図２に示すように、少なくとも、透明な第１の板状部材２１、乾燥した植物２２、第２の板状部材２３の順で積層されている。
乾燥した植物２２は、第１の板状部材２１と第２の板状部材２３とで積層されたままでも良いが、 
望ましくは、乾燥した植物２２は、第２の板状部材２３に接着剤で接着されても良いし、又は、乾燥した植物２２は、第１の板状部材２１に接着剤で接着されても良いし、又は、乾燥した植物２２は、第２の板状部材２３及び第１の板状部材２１に接着剤で接着されても良い。
乾燥した植物２２は、本実施例では、キーウィフルーツの果実を輪切りにして乾燥したものを示したが、本願発明にあっては、これに限らず、例えば、乾燥したキーウィフルーツ以外の果実、押し花、押し葉、乾燥した枝、乾燥した根等であっても良い。
袋１の開口部１ａは、図１及び図３に示すように、シール（第１のヒートシール部１Ｓ）されて袋１は密封状態であって、袋１内は脱気されている。脱気は、図３に示すように、袋１の表側フィルム１Ａが第１の板状部材２１に、袋１の裏側フィルム１Ｂが第２の板状部材２３に、それぞれ密着する程度である。
【００２９】
従って、上述した図１乃至図３記載の乾燥した植物の密封収納体Ｋによれば、袋１内を脱気しているため、乾燥剤、脱酸素剤を要しないで、乾燥した植物２２の変色防止を図ることができ、しかも、袋１内に乾燥剤、脱酸素剤を要しない分、表裏起伏のない平坦であって、厚みが薄い乾燥した植物の密封収納体Ｋを得ることができ（図３参照）、更に、第１の板状部材２１及び/又は第２の板状部材２３が破損しても、破損した部位は、袋１の外へ飛散しないで袋１内に閉じ込められるため、安全で、清掃も容易となる。
【００３０】
また、第２の板状部材２３は不透明でも良いが、第２の板状部材２３を透明にすれば、袋１、第１の板状部材２１及び第２の板状部材２３が全て透明であるため、乾燥した植物２２を表のみならず、裏からも観察することができる効果を有する。
【００３１】
また、上述した図１乃至図３記載の実施例においては、乾燥した植物２２を四角形状の第１の板状部材２１と四角形状の第２の板状部材２３で挟持するようにしたが、本願発明にあっては、これに限らず、図４乃至図６記載の実施例に示すように、乾燥した植物２２と第２の板状部材２３との間にクッション材２４を介在させるようにしても良い。
クッション材２４は、例えば、不織布で形成されている。なお、第１の板状部材２１、乾燥した植物２２、クッション材２４、第２の板状部材２３の順で積層された積層体２を袋１内に収納された状態で脱気すると、乾燥した植物２２はクッション材２４により容易に沈み込み［図６（ａ）（ｂ）参照］、沈み込んだ分、積層体２周縁の空気が袋１の外へと放出され、空気をより排除でき、乾燥した植物２２の劣化をより防ぐことができる。
また、乾燥した植物２２が沈み込んだ分、乾燥した植物２２にかかる第１の板状部材２１からの力が軽減されて、乾燥した植物２２の損傷を防ぐと共に、第１の板状部材２１と第２の板状部材２３との間に乾燥した植物２２を介在しても、第１の板状部材２１が第２の板状部材２２に近づき、より平坦であって、厚みがより薄い乾燥した植物の密封収納体Ｋを得ることができる。
【００３２】
次に、乾燥した植物の密封収納方法について、以下、説明する。
図７（ｂ）に示す１は、上述と同様、平面視、四角形状であって、ガスバリア性のフィルムで形成された透明な袋である。
袋１の開口部１ａと反対側の第１の端部１Ｘに逆止弁３が取り付けられている。
【００３３】
先ず、図７（ａ）（ｂ）に示すように、袋１の開口部１ａを介して図２記載の積層体２（少なくとも、透明な第１の板状部材２１、乾燥した植物２２、第２の板状部材２３の順で積層された積層体）を袋１内に収納する。収納後、開口部１ａを閉じるように第１のヒートシール部１Ｓを形成して袋１を密封する［図７（ｃ）参照］。
密封後、逆止弁３を介して袋１内を脱気して袋１のフィルムを積層体２に密着させる。脱気は、図示しない空気抜きポンプに接続されたチューブを逆止弁３に接続して、袋１内の空気を袋１の外へと排出する［図７（ｄ）参照］。
そして、積層体２は、四角形状の透明な第１の板状部材２１と四角形状の第２の板状部材２３と間に位置した乾燥した植物２２を積層したものであり、また、上記脱気は、袋１の表側フィルム１Ａが第１の板状部材２１に、袋１の裏側フィルム１Ｂが第２の板状部材２３に、それぞれ密着する程度である［図３及び図７（ｅ）参照］。
脱気した後、不必要な部位１０、２０をカットして除去する［図７（ｆ）参照］。
なお、脱気した後、逆止弁３の開放側を閉じるようにヒートシール部１Ｘ’を形成して密封する［図７（ｅ）参照］ようにしても良い。
【００３４】
上述した図７記載の実施例のものにあっては、乾燥した植物２２を四角形状の第１の板状部材２１と四角形状の第２の板状部材２３で挟持するようにしたが、本願発明にあっては、これに限らず、図５に示すように、乾燥した植物２２と第２の板状部材２３との間にクッション材２４を介在させるようにしても良い。
即ち、図７（ａ）（ｂ）に示すように、袋１の開口部１ａを介して図５記載の積層体２（少なくとも、透明な第１の板状部材２１、乾燥した植物２２、クッション材２４、第２の板状部材２３の順で積層された積層体）を袋１内に収納する。収納後、開口部１ａを閉じるように第１のヒートシール部１Ｓを形成して袋１を密封する［図７（ｃ）参照］。
密封後、逆止弁３を介して袋１内を脱気して袋１のフィルムを積層体２に密着させる。脱気は、図示しない空気抜きポンプに接続されたチューブを逆止弁３に接続して、袋１内の空気を袋１の外へと排出する［図７（ｄ）参照］。
そして、積層体２は、四角形状の透明な第１の板状部材２１、乾燥した植物２２、クッション材（不織布）２４、四角形状の第２の板状部材２３を有し、第１の板状部材２１に袋１の表側フィルム１Ａが対向し、第２の板状部材２３に袋１の裏側フィルム１Ｂが対向し、第１の板状部材２１とクッション材２４の間に乾燥した植物２２が、第２の板状部材２３と乾燥した植物２２の間にクッション材２４が、それぞれ位置したものであり、また、上記脱気は、袋１の表側フィルム１Ａが第１の板状部材２１に、袋１の裏側フィルム１Ｂが第２の板状部材２３に、それぞれ密着する程度である［図６（ａ）（ｂ）及び図７（ｅ）参照］。
脱気した後、不必要な部位１０、２０をカットして除去する［図７（ｆ）参照］。
なお、脱気した後、上述の実施例と同様に、逆止弁３の開放側を閉じるようにヒートシール部１Ｘ’を形成して密封する［図７（ｅ）参照］ようにしても良い。
【００３５】
上述した図７記載の実施例のものにあっては、逆止弁３が目障りであり、次に示す実施例にあっては、逆止弁３を除去することができる。
なお、図８（ｃ）に示すように、第１の板状部材２１の第１のヒートシール部１Ｓに平行であって第１のヒートシール部１Ｓから遠い側の一辺は、第１の辺ＭＮであり、第１の辺ＭＮに近い側の逆止弁３の端部は、逆止弁袋内側端部３Ｘであり、脱気するまでは、上述図７記載の実施例と同様であるので、その説明を省略する。
袋１内を脱気した後、図８（ｅ）に示すように、第１の辺ＭＮと逆止弁袋内側端部３Ｘの間であって、第１のヒートシール部１Ｓに平行な第２のヒートシール部２Ｓを形成する。
形成後、第２のヒートシール部２Ｓと逆止弁袋内側端部３Ｘとの間を第２のヒートシール部２Ｓに沿って切断して、袋１から逆止弁３を除去することができる［図８（ｆ）参照］。
【００３６】
第１の板状部材２１と第２の板状部材２３がアクリルで形成されていると、第１の板状部材２１、第２の板状部材２３等を積層して積層体２を形成する際、アクリルで形成された第１の板状部材２１と第２の板状部材２３により生じた静電気により乾燥した植物２２が移動する不具合が生じる。
この不具合をなくすために、第１の紙４、第２の紙５を用いる。
第１の板状部材２１と第２の板状部材２３がアクリルで形成されている場合の積層体２の袋１内への収納については、以下の順で行われる。
図９（ｂ）に示すように、第２の紙５の上に置かれた第２の板状部材２３の上に乾燥した植物２２を置き、その後、図９（ａ）に示すように第１の板状部材２１の上に第１の紙４を置いた状態で、第１の板状部材２１を乾燥した植物２２に当接して、第１の板状部材２１と第２の板状部材２３とで乾燥した植物２２を挟持し、第１の板状部材２１と第２の板状部材２３と間に乾燥した植物２２を積層して積層体２を形成する［図９（ａ）〜（ｃ）参照］。
形成後、図９（ｄ）〜（ｄ’）に示すように、積層体２と共に、第１の紙４及び第２の紙５も袋１内に収納し、収納後、図９（ｄ”）に示すように、袋１内から第１の紙４及び第２の紙５を除去する。
第１の紙４及び第２の紙５の除去は、その他、積層体２と共に、第１の紙４及び第２の紙５を袋１内に収納する途中に第１の紙４及び第２の紙５を除去し、除去後、積層体２を袋１内に収納するか、又は、第１の紙４及び第２の紙５を除去した後、積層体２を袋１内に収納するかの何れかである。
その後は、上述の図８記載の実施例と同様に、袋１の開口部１ａを閉じるように第１のヒートシール部１Ｓを形成して袋１を密封し［図９（ｅ）参照］、密封後、逆止弁３を介して袋１内を脱気して袋１のフィルムを積層体２に密着させる［図９（ｆ）参照］。
袋１内を脱気した後、第１の辺ＭＮと逆止弁袋内側端部３Ｘの間であって、第１のヒートシール部１Ｓに平行な第２のヒートシール部２Ｓを形成する［図９（ｇ）参照］。
形成後、第２のヒートシール部２Ｓと逆止弁袋内側端部３Ｘとの間を第２のヒートシール部２Ｓに沿って切断して、袋１から逆止弁３を除去することができる［図９（ｈ）参照］。
【００３７】
次に、第１の板状部材２１がアクリルで形成され、第２の板状部材２３が紙で形成されている場合の積層体２の袋１内への収納については、以下の順で行われる。
図１０（ａ）〜（ｃ）に示すように、第２の板状部材２３の上に置かれたクッション材２４の上に乾燥した植物２２を置き、その後、第１の板状部材２１の上に紙４を置いた状態で、第１の板状部材２１を乾燥した植物２２に当接して、第１の板状部材２１と第２の板状部材２３とでクッション材２４を介して乾燥した植物２２を挟持して積層体２を形成する。
形成後、図１０（ｄ）〜（ｄ’）に示すように、積層体２と共に、紙４も袋１内に収納し、収納後、図１０（ｄ”）に示すように、袋１内から紙４を除去する。
紙４の除去は、その他、積層体２と共に、紙４を袋１内に収納する途中に紙４を除去し、除去後、積層体２を袋１内に収納するか、又は、紙４を除去した後、積層体２を袋１内に収納するかの何れかである。
その後は、上述の実施例と同様に、袋１の開口部１ａを閉じるように第１のヒートシール部１Ｓを形成して袋１を密封し［図１０（ｅ）参照］、密封後、逆止弁３を介して袋１内を脱気して袋１のフィルムを積層体２に密着させる［図１０（ｆ）参照］。
袋１内を脱気した後、第１の辺ＭＮと逆止弁袋内側端部３Ｘの間であって、第１のヒートシール部１Ｓに平行な第２のヒートシール部２Ｓを形成する［図１０（ｇ）参照］。
形成後、第２のヒートシール部２Ｓと逆止弁袋内側端部３Ｘとの間を第２のヒートシール部２Ｓに沿って切断して、袋１から逆止弁３を除去することができる［図１０（ｈ）参照］。
なお、本実施例にあっては、第２の板状部材２３の上にクッション材２４、クッション材２４の上に乾燥した植物２２を置くようにしたが、
望ましくは、第２の板状部材２３より厚さが厚い厚紙（図示せず）の上に第２の板状部材２３、第２の板状部材２３の上にクッション材２４、クッション材２４の上に乾燥した植物２２を置くようにする。第２の板状部材２３の下の厚紙（図示せず）は、脱気する前に袋1内から除去するようにする。
【００３８】
また、図７に示すような積層体２の先端部が袋１内の逆止弁３に近接する場合にあって、積層体２を袋１内に収納する際、積層体２の先端部が袋１内の逆止弁３に当接し、逆止弁３が変形した状態で密封包装される場合がある。かかる場合を防ぐ方法について、以下説明する。
積層体２を袋１内に収納する際、積層体２の先端部が袋１内の逆止弁３に当接しないように、図示しない逆止弁押さえ部材（例えば、スチール製定規）で逆止弁３を押さえた状態で、積層体２を逆止弁押さえ部材（例えば、スチール製定規）の上方から袋１内に収納し、収納後、図示しない逆止弁押さえ部材を除去するようにすると良い。
【符号の説明】
【００３９】
１      袋
２      積層体
３      逆止弁
１ａ    開口部
１Ｘ    第１の端部
１Ｓ    第１のヒートシール部
【図１】
2017007699.tif 000003
【図２】
2017007699.tif 000004
【図３】
2017007699.tif 000005
【図４】
2017007699.tif 000006
【図５】
2017007699.tif 000007
【図６】
2017007699.tif 000008
【図７】
2017007699.tif 000009
【図８】
2017007699.tif 000010
【図９】
2017007699.tif 000011
【図１０】
2017007699.tif 000012